(57)【要約】  本発明は、第１層（３）、第２層（５）、および吸水および保水が可能な材料（４）を備える、テキスタイル電極（１）を加湿するためのデバイスに関し、吸水および保水が可能な材料（４）は、第１層（３）と第２層（５）との間に位置し、第１層（３）は、液体水および水蒸気を透過させず、第２層（５）は、吸水および保水が可能な材料へ向かって内方向へ伸びる方向に液体水を透過させ、これと反対の方向に液体水を透過させず水蒸気を透過させる。本発明は更に、そのような加湿デバイスを備えるシステムに関する。【選択図】図１
2019527113.tif 000002
【特許請求の範囲】
【請求項１】
第１層（３）と、
第２層（５）と、
吸水および保水が可能な材料（４）と
を備え、
前記吸水および保水が可能な材料（４）は、前記第１層（３）と前記第２層（５）との間に位置し、
前記第１層（３）は、液体水および水蒸気を透過させ、
前記第２層（５）は、前記吸水および保水が可能な材料へ向かって内方向へ伸びる方向に液体水を透過させ、これと反対の方向に液体水を透過させず水蒸気を透過させる、テキスタイル電極（１）を加湿するためのデバイス。
【請求項２】
前記第１層（３）は、非導電性かつ非変形可能な層である、請求項１に記載のテキスタイル電極（１）を加湿するためのデバイス。
【請求項３】
前記第２層（５）は変形可能である、請求項１または請求項２に記載のテキスタイル電極（１）を加湿するためのデバイス。
【請求項４】
前記第２層（５）は、多孔質層または親水性層である、請求項１〜３のいずれかに記載のテキスタイル電極を加湿するためのデバイス。
【請求項５】
ポケット（６）を更に備え、前記吸水および保水が可能な材料（４）は、前記ポケット（６）内に収容され、前記ポケット（６）は、前記吸水および保水が可能な材料（４）へ向かって内方向へ伸びる方向に水を透過させ、これと反対の方向に水蒸気を透過させる、請求項１〜４のいずれかに記載のテキスタイル電極（１）を加湿するためのデバイス。
【請求項６】
前記第２層（５）は、少なくとも１つの第１部分および１つの第２部分から成り、前記第１部分は、前記デバイスの外側へ向かって前記吸水および保水が可能な材料から外方向へ伸びる方向に、液体水を透過させず水蒸気を透過させ、前記第２部分は、双方向に液体水を透過させる、請求項１〜５のいずれかに記載のテキスタイル電極（１）を加湿するためのデバイス。
【請求項７】
前記第２層（５）の前記第２部分は、液体水を透過させるように構成された少なくとも１つの孔（５１）を備える、請求項６に記載のテキスタイル電極（１）を加湿するためのデバイス。
【請求項８】
少なくとも０．５ｍｍの厚さを有する第３層（７）を更に備え、前記層（７）は、前記吸水および保水が可能な材料（４）と前記第１層（３）との間に位置する、請求項１〜７のいずれかに記載のテキスタイル電極（１）を加湿するためのデバイス。
【請求項９】
請求項１〜８のいずれかに記載の加湿デバイス（１）と、
導電領域（８）を備えるテキスタイル支持体と
を備え、
前記テキスタイル支持体は、前記導電領域（８）が前記第２層（５）と接するように前記加湿デバイス（１）に連結される、システム（２）。
【請求項１０】
請求項６〜８のいずれかに記載の加湿デバイス（１）と、
電極（８）を形成する導電領域（８）を備えるテキスタイル支持体と
を備え、
前記テキスタイル支持体は、前記導電領域（８）が前記第２層（５）の前記第１部分のみと接するように前記加湿デバイス（１）に連結される、システム（２）。
【発明の詳細な説明】
【技術分野】
【０００１】
本発明は、ＥｘＧ測定用のテキスタイル電極を自動的に加湿するためのデバイスに関する。特に、本発明は、テキスタイル電極を加湿するためのデバイス、およびこれを備えるシステムに関する。
【背景技術】
【０００２】
人体の生理的パラメータを測定するためにテキスタイル電極を使用することは既知である。
【０００３】
しかし、そのようなテキスタイル電極は、従来のアプローチを介して得られる（すなわちゲルを介して皮膚との接触が生じる）ものより大きいインピーダンスの結果、使用が制限される。
【０００４】
これを補償するために、電極と皮膚との間に水分が存在することを確実にし、２つの境界面の間にイオン伝導を発生させることにより、人体によって生成される信号を正確に検出するために十分な導電性を得なくてはならない。最適な動作のためには、通常、電極に毎日１グラムの水が必要であることが推定される。
【０００５】
多くの使用において、電極の導電層と皮膚との間の表面を十分に加湿するためには、個人の発汗は不十分であり、上記信号を十分な品質レベルで検出することが困難になる。
【０００６】
非テキスタイル電極を用いる従来のアプローチは、ゲルを介して皮膚と接するように金属または導電性電極を載置することに存する。そのようなゲルの使用は、電極の接触時のインピーダンスを低減させるので、たとえば脳波測定（ＥＥＧ）、心電図測定（ＥＣＧ）、または筋電位計測（ＥＭＧ）によって測定されるような非常に低い電気信号変動が容易に測定され得る。
【０００７】
多くの場合、ゲルの使用は、電極の扱いを複雑にし、測定におけるアーチファクトをもたらす。また、ゲルが速く（最善でも数時間以内に）乾くとすれば、電極と皮膚との間でのゲルの使用は、長期間、特に数時間より長く、あるいは１日を超過する期間にわたり測定が行われることを不可能にする。したがって、ゲルの使用は、異常を検出および予見するためにより長期間にわたる記録が必要とされる、たとえば心臓病理学（心房細動）または神経病理学（てんかん）など数々の病理学の診断を複雑にする。
【０００８】
上記欠点を克服するために、従来技術は、導電層と基（またはテキスタイル）層との間に保水器を配置することを提案する。この保水器は、たとえば、スポンジの構造と同様の構造を有してよい。この保水器は、導電層と皮膚との間の水分レベルを増加させることによって導電性を高めるために、液体を吸収および貯蔵することができる。しかし、この方法はいくつかの欠点を有する。第１に、水分レベルは完璧には制御されず、水が液体状かつ不均質な方法で放出された場合、測定の品質が変動し得る。また、過剰な水の存在は、継続維持的ではなく、保水器と導電層との間の連結を劣化させ、信号に影響を及ぼし得る。
【０００９】
国際特許出願ＷＯ２０１２／００７３８４号は、皮膚と接する側面と対向する側面に不透過層を追加することによって、導水の動きを促進しながら保水器内に存在する水分の蒸発を低減することによって、これらの欠点を克服するための解決策を提案する。しかしこの技術は、液体状で残留する水の導通に関する問題の一部のみしか解決せず、（ｉ）水蒸気の皮膚への導通の均質性、（ｉｉ）保水器と導電性表面との間の余剰液体、および（ｉｉｉ）１０〜１２時間を超える長期間の測定の管理に関する問題を解決するものではない。
【００１０】
したがって本発明は、人間によるテキスタイル電極の使用中に、導通が制御される水蒸気によってテキスタイル電極を継続的に加湿するためのデバイスを開発することを目的とする。本発明に係るデバイスは、導通される水蒸気の品質および導通面積または表面を制御しながら、この機能を実行する。これは、人間に使用されていない時の水分の蒸発を防ぎ、ユーザに快適性をもたらすものであり、ユーザは、サイクルの開始時に水分に関する感覚を一切感じない。
【００１１】
水分レベルを制御することによって、加湿デバイスを備えるシステムは、長期間にわたる着用を可能にしながら、最適な電気信号を維持するように設計され、その結果、高品質な測定を提供する。本発明に係るシステムは更に、運動アーチファクトの結果として信号が途絶することなく、システムを着用する人間が測定中に活動を行うことを可能にする。
【００１２】
また水分制御は、抵抗モードと誘導モードとの間で変化する時に電極が抵抗モードで動作することを確実にする。誘導動作モードの効果は、皮膚と導電材料との間の接触レベルにおけるあらゆる微小移動に特に敏感である。したがってこれは、品質の理由により、外来患者の測定に関して禁止されなくてはならない。
【００１３】
システムの統合は、洗浄、使用（複数も可）、洗浄という、テキスタイルの通常ライフサイクルにおいて動作するように設計される。これにより、洗浄時に受動的方法で、すなわちデバイスに対する特定の動作を一切伴わず自己加湿が容易であるという利点がもたらされ、テキスタイルを洗浄または単純に水に浸漬することで、更なる動作を一切伴わずにテキスタイルはリチャージされることができる。
【００１４】
システムは、衣服に組み込むことが容易であり、個人に関する測定の通常ライフサイクル内で動作するように設計される。このライフサイクル中、身体との接触によって温度の上昇が生じ、水分蓄積が水蒸気の形で非常に迅速に放出される。これにより、製造中に予め決定された既知量の水が供給される。したがって、デバイスに特定の動作が行われる必要はない。この放出は、材料および組成が選択されると、追加の動作を一切必要とせず、毎日水１グラム単位で較正され得る。
【００１５】
最後に、本発明に係るデバイスは、衣服に組み込まれると、アーチファクトがほとんどなく皮膚との最適な電気的接触が生じることを確実にするために、被験者の皮膚との十分な機械的接触をもたらす。
【発明の概要】
【課題を解決するための手段】
【００１６】
本発明は、
第１層と、
第２層と、
吸水および保水が可能な材料と
を備え、
吸水および保水が可能な材料は、第１層と第２層との間に位置し、
第１層は、液体水および水蒸気を透過させず、
第２層は、吸水および保水が可能な材料へ向かって内方向へ伸びる方向に液体水を透過させ、これと反対の方向に液体水を透過させず水蒸気を透過させる、テキスタイル電極を加湿するためのデバイスに関する。
【００１７】
１つの実施形態において、  第１層は、非導電性かつ非変形可能な層である。
【００１８】
１つの実施形態において、第２層は変形可能な層である。
【００１９】
１つの実施形態において、第２層は多孔質層または親水性層である
【００２０】
１つの実施形態において、テキスタイル電極を加湿するためのデバイスは、ポケットを更に備え、吸水および保水が可能な材料は、ポケット内に収容され、ポケットは、吸水および保水が可能な材料へ向かって内方向へ伸びる方向に水を透過させ、これと反対の方向に水蒸気を透過させる。
【００２１】
１つの実施形態において、第２層は、少なくとも１つの第１部分および１つの第２部分から成り、第１部分は、デバイスの外側へ向かって吸水および保水が可能な材料から外方向へ伸びる方向に、液体水を透過させず水蒸気を透過させ、第２部分は、双方向に液体水を透過させる。
【００２２】
１つの実施形態において、第２層の第２部分は、大気圧を超える圧力で液体水を透過させるように構成された少なくとも１つの孔を備える。
【００２３】
１つの実施形態において、テキスタイル電極を加湿するためのデバイスは、少なくとも０．５ｍｍの厚さを有する第３層を更に備え、上記層は、吸水および保水が可能な材料と第１層との間に位置する。
【００２４】
本発明は更に、
本発明に係る加湿デバイスと、
電極を形成する導電領域を備えるテキスタイル支持体と
を備え、
テキスタイル支持体は、導電領域が第２層に接するように加湿デバイスに連結される、
システムに関する。
【００２５】
１つの実施形態において、テキスタイル支持体は、導電領域が第２層の第１部分のみと接するように加湿デバイスに連結される。
【００２６】
本発明において、以下の用語は次のように理解されるものとする。
【００２７】
「テキスタイル」は、たとえば織物または編物など、あらゆる任意の方法による糸、繊維、および／または単繊維の集合によって得られる材料として理解される。
【００２８】
「変形可能」は、たとえば応力下で、変形が可能であることを意味する。変形は好適には、変形体が変形の影響によって壊れることがない限り弾性である。
【００２９】
「水」は、電極と被験者の身体との間で許容可能な快適性をもって最適な電気およびイオン伝導が起こることを可能とするためのイオン移動条件を提供するように電極の加湿を可能にする任意の種類の液体を含むものとして理解される。これは、純粋液体、不純物を含む液体、または混合物であってよい。有利には、これは水溶液である。
【００３０】
「テキスタイル電極」は、少なくとも１つの導電領域を備えるテキスタイル支持体として理解される。
【００３１】
「不透過性」は、液体および／または気体を通過させないこととして理解される。
【００３２】
「液体不透過性」は、液体を通過させないが、気体を通過させ得ることとして理解される。液体を透過させない材料は、気体、特に水蒸気を透過させる。
【００３３】
「ＥｘＧ」は、限定はしないがたとえば脳波測定（ＥＥＧ）、心電図測定（ＥＣＧ）、または筋電位計測（ＥＭＧ）によって測定される信号などの電気生体信号として理解される。
【発明を実施するための形態】
【００３４】
本発明は、加湿デバイスを備える電極デバイスに関する。上記加湿デバイスは、第１層、第２層、および吸水および保水が可能な材料を備える。吸水および保水が可能な材料は、第１層と第２層との間に位置する。第２層は、テキスタイル支持体の導電領域と接することが意図されたものであり、第１層は、デバイスの対向側面にある。電極と接する第２層は、液体水を透過させず、水蒸気を、吸水および保水が可能な材料から電極の導電領域まで透過させる。
【００３５】
第１層は、吸水および保水が可能な材料に対して、テキスタイル支持体の導電領域に連結されることが意図された側面の対向側面に位置する。第１層は、液体水および水蒸気を透過させない。したがって、吸水および保水が可能な材料は、液体状であろうと気体状であろうと、第１層の側面における水分損失を一切被ることがない。
【００３６】
１つの実施形態において、第１層は、第２層の表面積と等しいまたはそれより大きい表面積を有する。
【００３７】
１つの実施形態において、上記第１層は、非変形可能な材料で作られる。好適には、第１層の材料は、変形可能性が乏しい材料である。
【００３８】
１つの実施形態において、第１層は、非導電性または電気絶縁性材料で作られる。
【００３９】
１つの実施形態において、第１層は、ポリ（塩化ビニル）（ＰＶＣ）、ポリウレタン、シリコンフィルム、アクリルポリウレタン、またはポリテトラフルオロエチレン（ＰＴＦＥ）などで作られる。
【００４０】
本発明によると、第２層は、吸水および保水が可能な材料へ向かって内方向へ伸びる方向に液体水を透過させ、これと反対方向に液体水を透過させず水蒸気のみを透過させる。
【００４１】
１つの実施形態において、上記第２層は、大気圧を超える圧力および／または蒸気圧で水を透過させることができるように、化成処理または微細穿孔される。
【００４２】
吸水および保水が可能な材料へ向かって内方向へ伸びる方向における第２層の透過性により、吸水および保水が可能な材料の水分レベルの受動的リチャージが可能である。これと反対の方向における第２層の液体水不透過性および水蒸気透過性により、水分を水蒸気の形でのみ通すことによって、水蒸気のみによる電極の継続的加湿が可能である。
【００４３】
１つの実施形態において、第２層は、デバイスがユーザによって装着され、体温に近い温度である時、吸水および保水が可能な材料から外方向へ１日に約１グラムの水を水蒸気の形で通すように構成される。
【００４４】
１つの実施形態において、第２層は、デバイスが室温である時、好適にはデバイスが２０℃に近い温度である時、吸水および保水が可能な材料から外方向へ水蒸気の形で水を通さないように構成される。
【００４５】
１つの実施形態において、第２層は、変形可能な層である。この第２層の変形可能特徴により、加湿デバイスの容積は、材料の選択によって課される圧力および蒸気圧を選択することによって調整することが可能である。この製造モードにおいて、上記層は、非変形可能な第１層の側面ではなく第２層の側面に広がるように設計される。したがって、デバイスは、膨らみを形成する容積によって、最適な電気的接触をもたらすための被験者の皮膚との最適な機械的接触を保証する。
【００４６】
１つの実施形態において、第２層は、微多孔膜および／または親水性膜を備える。この層は、防水通気膜であってよい。１つの代替実施形態において、防水通気膜は微多孔膜であり、すなわち、微細孔を介して水蒸気が膜を通過する。他の実施形態において、防水通気膜は親水性膜であり、すなわち、選択された圧力における毛管現象によって水蒸気が膜を通過する。これら２種類の膜およびそれらの組み合わせが、第２層を形成するために用いられ得る。
【００４７】
１つの実施形態において、第２層は、微多孔質またはメソ多孔質である。
【００４８】
１つの実施形態において、第２層は、ゴアテックス（登録商標）型式の膜またはポリウレタン膜である。１つの実施形態において、第２層は、ポリエステル、親水性ＰＵ、ポリエーテルブロックアミドまたはポリアミドなどで作られる。
【００４９】
１つの実施形態によると、第２層は、ナノ粒子を備え、またはナノ粒子で構成される。１つの実施形態によると、第２層の表面は、ナノ粒子、好適には無機ナノ粒子、金属ナノ粒子、炭化物ナノ粒子、酸化物ナノ粒子、窒化物ナノ粒子、硫化物ナノ粒子、ハロゲン化物ナノ粒子、カルコゲン化物ナノ粒子、リン化物ナノ粒子、メタロイドナノ粒子、および／または金属合金ナノ粒子のナノ粒子を備え、またはこれらで構成される。
【００５０】
１つの実施形態によると、無機ナノ粒子は、金属、ハロゲン化物、カルコゲン化物、リン化物、硫化物、メタロイド、金属合金、たとえば酸化物、炭化物、または窒化物などのセラミックのグループにおいて選択された材料で構成される。上記無機ナノ粒子は、当業者には既知であるプロトコルを用いて調製される。
【００５１】
１つの実施形態によると、カルコゲン化物は、Ｏ、Ｓ、Ｓｅ、Ｔｅ、Ｐｏのグループにおいて選択された少なくとも１つのカルコゲン陰イオンと、少なくとも１つのより陽性の原子とから構成される化学物質である。
【００５２】
１つの実施形態によると、金属ナノ粒子は、金ナノ粒子、銀ナノ粒子、銅ナノ粒子、バナジウムナノ粒子、白金ナノ粒子、パラジウムナノ粒子、ルテニウムナノ粒子、レニウムナノ粒子、イットリウムナノ粒子、水銀ナノ粒子、カドミウムナノ粒子、オスミウムナノ粒子、クロムナノ粒子、タンタルナノ粒子、マンガンナノ粒子、亜鉛ナノ粒子、ジルコニウムナノ粒子、ニオビウムナノ粒子、モリブデンナノ粒子、ロジウムナノ粒子、タングステンナノ粒子、イリジウムナノ粒子、ニッケルナノ粒子、鉄ナノ粒子、またはコバルトナノ粒子のグループにおいて選択される。
【００５３】
１つの実施形態によると、炭化物ナノ粒子の例は、ＳｉＣ、ＷＣ、ＢＣ、ＭｏＣ、ＴｉＣ、Ａｌ４Ｃ３、ＬａＣ２、ＦｅＣ、ＣｏＣ、ＨｆＣ、またはこれらの混合物を含むが、これに限定されない。
【００５４】
１つの実施形態によると、酸化物ナノ粒子の例は、ＳｉＯ２、Ａｌ２Ｏ３、ＴｉＯ２、ＺｒＯ２、ＺｎＯ、ＭｇＯ、ＳｎＯ２、Ｎｂ２Ｏ５、ＣｅＯ２、ＢｅＯ、ＩｒＯ２、ＣａＯ、Ｓｃ２Ｏ３、ＮｉＯ、Ｎａ２Ｏ、ＢａＯ、Ｋ２Ｏ、ＰｂＯ、Ａｇ２Ｏ、Ｖ２Ｏ５、ＴｅＯ２、ＭｎＯ、Ｂ２Ｏ３、Ｐ２Ｏ５、Ｐ２Ｏ３、Ｐ４Ｏ７、Ｐ４Ｏ８、Ｐ４Ｏ９、Ｐ２Ｏ６、ＰＯ、ＧｅＯ２、Ａｓ２Ｏ３、Ｆｅ２Ｏ３、Ｆｅ３Ｏ４、Ｔａ２Ｏ５、Ｌｉ２Ｏ、ＳｒＯ、Ｙ２Ｏ３、ＨｆＯ２、ＷＯ２、ＭｏＯ２、Ｃｒ２Ｏ３、Ｔｃ２Ｏ７、ＲｅＯ２、ＲｕＯ２、Ｃｏ３Ｏ４、ＯｓＯ、ＲｈＯ２、Ｒｈ２Ｏ３、ＰｔＯ、ＰｄＯ、ＣｕＯ、Ｃｕ２Ｏ、Ａｕ２Ｏ３、ＣｄＯ、ＨｇＯ、Ｔｌ２Ｏ、Ｇａ２Ｏ３、Ｉｎ２Ｏ３、Ｂｉ２Ｏ３、Ｓｂ２Ｏ３、ＰｏＯ２、ＳｅＯ２、Ｃｓ２Ｏ、Ｌａ２Ｏ３、Ｐｒ６Ｏ１１、Ｎｄ２Ｏ３、Ｌａ２Ｏ３、Ｓｍ２Ｏ３、Ｅｕ２Ｏ３、Ｔｂ４Ｏ７、Ｄｙ２Ｏ３、Ｈｏ２Ｏ３、Ｅｒ２Ｏ３、Ｔｍ２Ｏ３、Ｙｂ２Ｏ３、Ｌｕ２Ｏ３、Ｇｄ２Ｏ３、またはこれらの混合物を含むが、これに限定されない。
【００５５】
１つの実施形態によると、酸化物ナノ粒子の例は、酸化シリコン、酸化アルミニウム、酸化チタン、酸化銅、酸化鉄、酸化銀、酸化鉛、酸化カルシウム、酸化マグネシウム、酸化亜鉛、酸化スズ、酸化ベリリウム、酸化ジルコニウム、酸化ニオブ、酸化セリウム、酸化イリジウム、酸化スカンジウム、酸化ニッケル、酸化ナトリウム、酸化バリウム、酸化カリウム、酸化バナジウム、酸化テルル、酸化マンガン、酸化ホウ素、酸化リン、酸化ゲルマニウム、酸化オスミウム、酸化レニウム、酸化白金、酸化ヒ素、酸化タンタル、酸化リチウム、酸化ストロンチウム、酸化イットリウム、酸化ハフニウム、酸化タングステン、酸化モリブデン、酸化クロム、酸化テクネチウム、酸化ロジウム、酸化ルテニウム、酸化コバルト、酸化パラジウム、酸化金、酸化カドミウム、酸化水銀、酸化タリウム、酸化ガリウム、酸化インジウム、酸化ビスマス、酸化アンチモン、酸化ポロニウム、酸化セレン、酸化セシウム、酸化ランタン、酸化プラセオジム、酸化ネオジム、酸化サマリウム、酸化ユーロピウム、酸化テルビウム、酸化ジスプロシウム、酸化エルビウム、酸化ホルミウム、酸化ツリウム、酸化イッテルビウム、酸化ルテチウム、酸化ガドリニウム、混合酸化物、これらの混合酸化物、またはこれらの混合物を含むが、これに限定されない。
【００５６】
１つの実施形態によると、窒化物ナノ粒子の例は、ＴｉＮ、Ｓｉ３Ｎ４、ＭｏＮ、ＶＮ、ＴａＮ、Ｚｒ３Ｎ４、ＨｆＮ、ＦｅＮ、ＮｂＮ、ＧａＮ、ＣｒＮ、ＡｌＮ、ＩｎＮ、またはこれらの混合物を含むが、これに限定されない。
【００５７】
１つの実施形態によると、硫化物ナノ粒子の例は、ＳｉｙＳｘ、ＡｌｙＳｘ、ＴｉｙＳｘ、ＺｒｙＳｘ、ＺｎｙＳｘ、ＭｇｙＳｘ、ＳｎｙＳｘ、ＮｂｙＳｘ、ＣｅｙＳｘ、ＢｅｙＳｘ、ＩｒｙＳｘ、ＣａｙＳｘ、ＳｃｙＳｘ、ＮｉｙＳｘ、ＮａｙＳｘ、ＢａｙＳｘ、ＫｙＳｘ、ＰｂｙＳｘ、ＡｇｙＳｘ、ＶｙＳｘ、ＴｅｙＳｘ、ＭｎｙＳｘ、ＢｙＳｘ、ＰｙＳｘ、ＧｅｙＳｘ、ＡｓｙＳｘ、ＦｅｙＳｘ、ＴａｙＳｘ、ＬｉｙＳｘ、ＳｒｙＳｘ、ＹｙＳｘ、ＨｆｙＳｘ、ＷｙＳｘ、ＭｏｙＳｘ、ＣｒｙＳｘ、ＴｃｙＳｘ、ＲｅｙＳｘ、ＲｕｙＳｘ、ＣｏｙＳｘ、ＯｓｙＳｘ、ＲｈｙＳｘ、ＰｔｙＳｘ、ＰｄｙＳｘ、ＣｕｙＳｘ、ＡｕｙＳｘ、ＣｄｙＳｘ、ＨｇｙＳｘ、ＴｌｙＳｘ、ＧａｙＳｘ、ＩｎｙＳｘ、ＢｉｙＳｘ、ＳｂｙＳｘ、ＰｏｙＳｘ、ＳｅｙＳｘ、ＣｓｙＳｘ、混合硫化物、これらの混合硫化物、またはこれらの混合物を含むがこれに限定されず、ｘおよびｙは、ｘが０である時ｙは０ではなく、ｙが０である時ｘは０ではないという条件の下、非依存的に０〜１０の１０進数である。
【００５８】
１つの実施形態によると、ハロゲン化物ナノ粒子の例は、ＢａＦ２、ＬａＦ３、ＣｅＦ３、ＹＦ３、ＣａＦ２、ＭｇＦ２、ＰｒＦ３、ＡｇＣｌ、ＭｎＣｌ２、ＮｉＣｌ２、Ｈｇ２Ｃｌ２、ＣａＣｌ２、ＣｓＰｂＣｌ３、ＡｇＢｒ、ＰｂＢｒ３、ＣｓＰｂＢｒ３、ＡｇＩ、ＣｕＩ、ＰｂＩ、ＨｇＩ２、ＢｉＩ３、ＣＨ３ＮＨ３ＰｂＩ３、ＣｓＰｂＩ３、（ＦＡホルムアミジニウムを有する）ＦＡＰｂＢｒ３、またはこれらの混合物を含むが、これに限定されない。
【００５９】
１つの実施形態によると、カルコゲン化物ナノ粒子の例は、ＣｄＯ、ＣｄＳ、ＣｄＳｅ、ＣｄＴｅ、ＺｎＯ、ＺｎＳ、ＺｎＳｅ、ＺｎＴｅ、ＨｇＯ、ＨｇＳ、ＨｇＳｅ、ＨｇＴｅ、ＣｕＯ、Ｃｕ２Ｏ、ＣｕＳ、Ｃｕ２Ｓ、ＣｕＳｅ、ＣｕＴｅ、Ａｇ２Ｏ、Ａｇ２Ｓ、Ａｇ２Ｓｅ、Ａｇ２Ｔｅ、Ａｕ２Ｏ３、Ａｕ２Ｓ、ＰｄＯ、ＰｄＳ、Ｐｄ４Ｓ、ＰｄＳｅ、ＰｄＴｅ、ＰｔＯ、ＰｔＳ、ＰｔＳ２、ＰｔＳｅ、ＰｔＴｅ、ＲｈＯ２、Ｒｈ２Ｏ３、ＲｈＳ２、Ｒｈ２Ｓ３、ＲｈＳｅ２、Ｒｈ２Ｓｅ３、ＲｈＴｅ２、ＩｒＯ２、ＩｒＳ２、Ｉｒ２Ｓ３、ＩｒＳｅ２、ＩｒＴｅ２、ＲｕＯ２、ＲｕＳ２、ＯｓＯ、ＯｓＳ、ＯｓＳｅ、ＯｓＴｅ、ＭｎＯ、ＭｎＳ、ＭｎＳｅ、ＭｎＴｅ、ＲｅＯ２、ＲｅＳ２、Ｃｒ２Ｏ３、Ｃｒ２Ｓ３、ＭｏＯ２、ＭｏＳ２、ＭｏＳｅ２、ＭｏＴｅ２、ＷＯ２、ＷＳ２、ＷＳｅ２、Ｖ２Ｏ５、Ｖ２Ｓ３、Ｎｂ２Ｏ５、ＮｂＳ２、ＮｂＳｅ２、ＨｆＯ２、ＨｆＳ２、ＴｉＯ２、ＺｒＯ２、ＺｒＳ２、ＺｒＳｅ２、ＺｒＴｅ２、Ｓｃ２Ｏ３、Ｙ２Ｏ３、Ｙ２Ｓ３、ＳｉＯ２、ＧｅＯ２、ＧｅＳ、ＧｅＳ２、ＧｅＳｅ、ＧｅＳｅ２、ＧｅＴｅ、ＳｎＯ２、ＳｎＳ、ＳｎＳ２、ＳｎＳｅ、ＳｎＳｅ２、ＳｎＴｅ、ＰｂＯ、ＰｂＳ、ＰｂＳｅ、ＰｂＴｅ、ＭｇＯ、ＭｇＳ、ＭｇＳｅ、ＭｇＴｅ、ＣａＯ、ＣａＳ、ＳｒＯ、Ａｌ２Ｏ３、Ｇａ２Ｏ３、Ｇａ２Ｓ３、Ｇａ２Ｓｅ３、Ｉｎ２Ｏ３、Ｉｎ２Ｓ３、Ｉｎ２Ｓｅ３、Ｉｎ２Ｔｅ３、Ｌａ２Ｏ３、Ｌａ２Ｓ３、ＣｅＯ２、ＣｅＳ２、Ｐｒ６Ｏ１１、Ｎｄ２Ｏ３、ＮｄＳ２、Ｌａ２Ｏ３、Ｔｌ２Ｏ、Ｓｍ２Ｏ３、ＳｍＳ２、Ｅｕ２Ｏ３、ＥｕＳ２、Ｂｉ２Ｏ３、Ｓｂ２Ｏ３、ＰｏＯ２、ＳｅＯ２、Ｃｓ２Ｏ、Ｔｂ４Ｏ７、ＴｂＳ２、Ｄｙ２Ｏ３、Ｈｏ２Ｏ３、Ｅｒ２Ｏ３、ＥｒＳ２、Ｔｍ２Ｏ３、Ｙｂ２Ｏ３、Ｌｕ２Ｏ３、ＣｕＩｎＳ２、ＣｕＩｎＳｅ２、ＡｇＩｎＳ２、ＡｇＩｎＳｅ２、Ｆｅ２Ｏ３、Ｆｅ３Ｏ４、ＦｅＳ、ＦｅＳ２、Ｃｏ３Ｓ４、ＣｏＳｅ、Ｃｏ３Ｏ４、ＮｉＯ、ＮｉＳｅ２、ＮｉＳｅ、Ｎｉ３Ｓｅ４、Ｇｄ２Ｏ３、ＢｅＯ、ＴｅＯ２、Ｎａ２Ｏ、ＢａＯ、Ｋ２Ｏ、Ｔａ２Ｏ５、Ｌｉ２Ｏ、Ｔｃ２Ｏ７、Ａｓ２Ｏ３、Ｂ２Ｏ３、Ｐ２Ｏ５、Ｐ２Ｏ３、Ｐ４Ｏ７、Ｐ４Ｏ８、Ｐ４Ｏ９、Ｐ２Ｏ６、ＰＯ、またはこれらの混合物を含むが、これに限定されない。
【００６０】
１つの実施形態によると、リン化物ナノ粒子の例は、ＩｎＰ、Ｃｄ３Ｐ２、Ｚｎ３Ｐ２、ＡｌＰ、ＧａＰ、ＴｌＰ、またはこれらの混合物を含むが、これに限定されない。
【００６１】
１つの実施形態によると、メタロイドナノ粒子の例は、Ｓｉ、Ｂ、Ｇｅ、Ａｓ、Ｓｂ、Ｔｅ、またはこれらの混合物を含むが、これに限定されない。
【００６２】
１つの実施形態によると、金属合金ナノ粒子の例は、Ａｕ‐Ｐｄ、Ａｕ‐Ａｇ、Ａｕ‐Ｃｕ、Ｐｔ‐Ｐｄ、Ｐｔ‐Ｎｉ、Ｃｕ‐Ａｇ、Ｃｕ‐Ｓｎ、Ｒｕ‐Ｐｔ、Ｒｈ‐Ｐｔ、Ｃｕ‐Ｐｔ、Ｎｉ‐Ａｕ、Ｐｔ‐Ｓｎ、Ｐｄ‐Ｖ、Ｉｒ‐Ｐｔ、Ａｕ‐Ｐｔ、Ｐｄ‐Ａｇ、Ｃｕ‐Ｚｎ、Ｃｒ‐Ｎｉ、Ｆｅ‐Ｃｏ、Ｃｏ‐Ｎｉ、Ｆｅ‐Ｎｉ、またはこれらの混合物を含むが、これに限定されない。
【００６３】
１つの実施形態によると、ナノ粒子は疎水性である。１つの実施形態によると、ナノ粒子は親水性である。
【００６４】
１つの実施形態によると、第２層は、少なくとも１つの親水性化合物、好適には少なくとも１つのナノ粒子を備える親水性化合物を備え、またはこれで構成される。
【００６５】
１つの実施形態によると、第２層は、少なくとも１つの疎水性化合物、好適には少なくとも１つのナノ粒子を備える疎水性化合物を備え、またはこれで構成される。
【００６６】
１つの実施形態によると、第２層は、少なくとも１つの両親媒性化合物、好適には少なくとも１つの粒子を備える両親媒性化合物を備え、またはこれで構成される。
【００６７】
１つの実施形態によると、第２層は、少なくとも１つのナノ粒子、好適には親水性化合物を備えるナノ粒子を備え、またはこれで構成される。
【００６８】
１つの実施形態によると、第２層は、少なくとも１つのナノ粒子、好適には疎水性化合物を備えるナノ粒子を備え、またはこれで構成される。
【００６９】
１つの実施形態によると、第２層は、少なくとも１つのナノ粒子、好適には両親媒性化合物を備えるナノ粒子を備え、またはこれで構成される。
【００７０】
１つの実施形態によると、電極と接する第２層の表面は、ナノ粒子の基板によって被覆され、上記ナノ粒子は、電極と接する第２層の表面を、液体水に対し不透過性にすることができる。ナノ粒子基板は、プラズマ式処理またはコーティングによって、電極と接する第２層に堆積され得る。
【００７１】
１つの実施形態によると、吸水および保水が可能な材料に面する第２層の表面は、ナノ粒子の基板によって被覆され、上記ナノ粒子は、吸水および保水が可能な材料に面する第２層の表面を、液体水に対し透過性にすることができる。ナノ粒子基板は、プラズマ式処理またはコーティングによって、吸水および保水が可能な材料に面する第２層に堆積され得る。
【００７２】
１つの実施形態によると、第２層は、少なくとも１つの親水性化合物、好適にはハロゲンを備える親水性化合物、更に好適には少なくとも１つのフッ素原子を備える親水性化合物を備え、またはこれで構成される。
【００７３】
１つの実施形態によると、第２層は、少なくとも１つの疎水性化合物、好適にはハロゲンを備える疎水性化合物、更に好適には少なくとも１つのフッ素原子を備える疎水性化合物を備え、またはこれで構成される。
【００７４】
１つの実施形態によると、第２層は、少なくとも１つの両親媒性化合物、好適にはハロゲンを備える両親媒性化合物、更に好適には少なくとも１つのフッ素原子を備える両親媒性化合物を備え、またはこれで構成される。
【００７５】
１つの実施形態によると、第２層は、少なくとも１つのハロゲン、好適にはフッ素を備え、またはこれで構成される。１つの実施形態によると、第２層は、フッ素（Ｆ）、塩素（Ｃｌ）、臭素（Ｂｒ）、および／またはヨウ素（Ｉ）から選択された少なくとも１つの原子を備え、またはこれで構成される。
【００７６】
１つの実施形態によると、電極と接する第２層の表面は、ハロゲン、好適にはフッ素を備える化合物によって被覆され、上記化合物は、電極と接する第２層の表面を、液体水に対し不透過性にすることができる。化合物基板は、プラズマ式処理またはコーティングによって、電極と接する第２層に堆積され得る。
【００７７】
１つの実施形態によると、吸水および保水が可能な材料に面する第２層の表面は、ハロゲン、好適にはフッ素を備える化合物によって被覆され、上記化合物は、吸水および保水が可能な材料に面する第２層の表面を、液体水に対し透過性にすることができる。化合物は、プラズマ式処理またはコーティングによって、吸水および保水が可能な材料に向く第２層に堆積され得る。
【００７８】
１つの実施形態において、第２層は、少なくとも１つの第１部分および１つの第２部分から成る。１つの実施形態において、第２層は、サンドイッチ形式で単一層を形成する、少なくとも１つの第１部分および１つの第２部分から成る。１つの実施形態において、第２層の第１部分は、膜またはコーティングである。１つの実施形態において、第２層の第２部分は、膜またはコーティングである。
【００７９】
１つの実施形態において、第２層の第１部分は、吸水および保水が可能な材料からデバイスの外側へ向かって外方向へ伸びる方向に、液体水を透過させず水蒸気を透過させる。１つの実施形態において、第２層の第１部分は、吸水および保水が可能な材料へ向かってデバイスの外側から内方向へ伸びる方向に、液体水および水蒸気を透過させない。
【００８０】
１つの実施形態において、第２層の第２部分は、吸水および保水が可能な材料へ向かってデバイスの外側から内方向へ伸びる方向に、液体水を透過させる。好適には、第２層の第２部分は、加圧力が大気圧を上回る場合、吸水および保水が可能な材料へ向かってデバイスの外側から内方向へ伸びる方向に液体水を透過させる。この実施形態において、第２層の第１部分は、テキスタイル支持体の導電部分に水蒸気を供給するためにこの部分と接することが意図され、上記水蒸気は、吸水および保水が可能な材料に含まれた水から得られる。第２層の第２部分は、内方向への液体透過性により、吸水および保水が可能な材料を加湿し、それによってテキスタイル電極を加湿するためのデバイスをリチャージする。上記第２部分は、たとえば洗浄中など、デバイスが浸漬される時、吸水および保水が可能な材料の含水量を受動的にリチャージする。
【００８１】
１つの実施形態において、第２層の第２部分は、吸水および保水が可能な材料と接しない。１つの実施形態において、第２層の第２部分は、テキスタイル支持体の導電領域と接することが意図されない。
【００８２】
１つの実施形態において、第２層の第２部分の水に対する透過性は、１または複数の孔によって得られる。１つの実施形態において、孔径は、０．０１ｍｍ〜１０ｍｍの範囲内である。好適には、吸水および保水が可能な材料が保水の役割を果たすために、１または複数の孔は、液体圧が生じないことにより毛管現象によって上記孔を介して液体が流出することがないように、吸水および保水が可能な材料と接してはならない。この実施形態において、１または複数の孔は、電極に液体水を導通しないように電極の導電領域と接してはならない。この実施形態において、第２層の第２部分は、吸水および保水が可能な材料へ向かってデバイスの外側から内方向へ伸びる方向およびこれと逆の方向に、液体水を透過させる。
【００８３】
１つの実施形態において、第２層の第１部分および第２部分は、異なる材料から成る。１つの実施形態において、第２層の第１部分および第２部分は、異なる処理を施された同じ材料から成る。
【００８４】
吸水および保水が可能な材料は、第１層と第２層との間に位置する。この材料は、受動的に水を捕捉しその後保持することが確実であり、上記水は、蒸発して蒸気となり、それによって第２層を通過しテキスタイル支持体の導電領域を加湿することが意図される。吸水および保水が可能な材料は、水蒸気を透過させる第１層と第２層との間のポンプおよび水分貯蔵器として作用する。
【００８５】
１つの実施形態において、期待されるポンプおよび貯蔵器の機能を実行するために選択された吸水および保水が可能な材料は、スポンジ、高吸収性ポリマ（ＳＡＰ）、ハイドロゲル、アルギン酸塩、または砂糖などであってよい。
【００８６】
１つの実施形態において、吸水および保水が可能な材料は、強親水性成分を備える。
【００８７】
１つの実施形態において、吸水および保水が可能な材料は、第２層に連結される。１つの実施形態において、吸水および保水が可能な材料は、第２層の第１部分にわたり第２層に連結されるが、第２層の第２部分には連結されない。
【００８８】
１つの実施形態において、吸水および保水が可能な材料は、単一要素から成る。１つの代替実施形態において、吸水および保水が可能な材料は複数の要素から成り、その各々に保水能力がある。これら様々な要素の性質は、同じであっても異なってもよい。
【００８９】
１つの実施形態において、テキスタイル電極を加湿するためのデバイスは、電極の使用位置において皮膚およびテキスタイルを互いに接触させる機械的必要性を満たすために、０．５ｍｍ〜５０ｍｍの範囲内の厚さを有する第３層を備える。１つの実施形態において、テキスタイル電極を加湿するためのデバイスは、０．５ｍｍ、１ ｍｍ、２ ｍｍ、３ｍｍ、４ｍｍ、５ｍｍ、１０ｍｍ、１５ｍｍ、２０ｍｍ、２５ｍｍ、３０ｍｍ、３５ｍｍ、４０ｍｍ、４５ｍｍ、または５０ｍｍに少なくとも等しい厚さを有する第３層を備える。上記第３層は、吸水および保水が可能な材料と第１層との間に位置する。第３層は、互いに積み重ねられ得る複数の副層から成ってよい。この容積および構造は、デバイスにある程度の容積をもたらし、それによって電極と被験者の皮膚との間の最適な機械的接触を保証することにより、皮膚との最適な電気的接触が生じることを確実にする。
【００９０】
第３層は、たとえばポリエチレンまたはポリウレタンフォームで作られ得る。
【００９１】
１つの実施形態において、第３層は、スポンジ、合成発泡体、または接着繊維（不織材料）製のパッドで作られる。
【００９２】
１つの実施形態において、テキスタイル電極を加湿するためのデバイスはポケットを備え、吸水および保水が可能な材料は、上記ポケット内に保持される。１つの実施形態において、上記ポケットは、吸水および保水が可能な材料が、粉末または複数の要素、特に複数の非常に小さな要素から選択されることを可能にする。ポケットは、第１層と第２層との間に位置する。この実施形態は特に、吸水および保水が可能な材料が複数の要素、特に非常に小さな要素から成る場合に有利である。１つの実施形態において、上記ポケットは、吸水および保水が可能な材料へ向かって内方向へ伸びる方向に水を透過させ、これと反対の方向に水蒸気を透過させる。１つの実施形態において、上記ポケットは、吸水および保水が可能な材料へ向かって内方向へ伸びる方向およびこれと反対の方向に水を透過させる。１つの実施形態において、上記ポケットは親水性ポケットである。
【００９３】
１つの実施形態において、ポケットは、ポリアミド、ポリエステル、または綿繊維で作られる。
【００９４】
１つの実施形態において、第１層と第２層との間の機械的強度を保証するために、上記２層は、当業者に既知である任意の締結手段によって連結される。上記締結手段は、たとえば、熱接着性ポリマの層、縫い目、超音波アセンブリ、リベット、圧力、およびスパンレースであってよい。
【００９５】
吸水および保水が可能な材料がポケット内に保持される１つの実施形態において、第１層およびポケットは、当業者に既知である任意の締結手段によって連結されてもされなくてもよい。上記締結手段は、たとえば、熱接着性ポリマの層、縫い目、超音波アセンブリ、リベット、圧力、およびスパンレースであってよい。
【００９６】
電極を加湿するためのデバイスが第３層を備える１つの実施形態において、第１層および第３層は、当業者に既知である任意の締結手段によって連結される。上記締結手段は、たとえば、熱接着性ポリマの層、縫い目、超音波アセンブリ、リベット、圧力、およびスパンレースであってよい。
【００９７】
本発明は更に、導電領域を含む少なくとも１つのテキスタイル支持体から成る１または複数のテキスタイル電極に連結された、本発明に係る加湿デバイスを備えるシステムに関する。テキスタイル支持体は、導電領域が第２層と接するように加湿デバイスに連結される。
【００９８】
１つの実施形態において、テキスタイル支持体の導電領域は、第２層の第１部分のみに連結される。
【００９９】
テキスタイル支持体は、身体に接して装着されることが意図され、電極と電子デバイスとの良好な接続をもたらす。１つの実施形態において、テキスタイル支持体は、吸水および保水が可能な材料よりも速く乾く。
【０１００】
テキスタイル支持体の導電領域は、たとえばＥＥＧ、ＥＣＧ、またはＥＭＧ信号などの生体信号の検出を可能にする。テキスタイル支持体の導電領域は、加湿デバイスの第２層と接する。導電領域は、被験者の皮膚と接することが意図され、本発明に係る加湿デバイスに連結され、水を蒸気の形で通過させる。吸水および保水が可能な材料が湿っている限り、第２層は、水分を水蒸気の形で通過させ、テキスタイル支持体の導電領域を継続的に加湿する。１つの実施形態において、テキスタイル支持体の導電領域は、銀でコーティングされたテキスタイル、またはステンレス鋼、炭素、金、銅、銀、導電性インク（Ｐｅｄｏｔ：Ｐｓｓなど）、または他の任意の導電性材料（たとえば炭素充填物、銀ナノワイヤ、亜鉛、酸化亜鉛、銀メッキ銅、炭素消失銅など）で作られた糸で構成される。１つの実施形態において、テキスタイル支持体の導電領域は多孔質であり、導電性材料をコーティング、含浸、または印刷される。
【０１０１】
１つの実施形態において、第２層は、当業者に既知である任意の締結手段を介してテキスタイル支持体に連結される。上記締結手段は、たとえば、熱接着性ポリマの層であってよい。
【０１０２】
１つの実施形態において、第１層は、第２層の表面積よりも大きい表面積を有し、当業者に既知である任意の締結手段を介してテキスタイル支持体に直接連結される。上記締結手段は、たとえば、熱接着性ポリマの層であってよい。
【０１０３】
１つの実施形態において、第１層およびテキスタイル支持体は、縫い目を用いて吸水および保水が可能な材料の周囲で連結される。
【０１０４】
好適には、第１層とテキスタイル支持体との連結を支援する後者の２つの実施形態は併用される。
【０１０５】
本発明は更に、本発明に係る少なくとも１つの加湿デバイスまたは少なくとも１つの電極に連結された上記デバイスを備える少なくとも１つのシステムを備える第２表皮テキスタイル全体に関する。
【０１０６】
この布を浸漬または洗浄すると、上述した各システムの保水が可能な材料はチャージされ、テキスタイル電極は、少なくとも１日、好適には１２時間より長く、加湿されることができる。
【０１０７】
１つの実施形態において、テキスタイルは、本発明に係る複数のシステムを備える。
【０１０８】
本発明は更に、本発明に係るテキスタイルを備える、動物または人間による着用が意図された衣服に関する。この衣服は、Ｔシャツ、下着、肌着、ズボン、帽子、または皮膚と接して着用され得る他の任意の衣服であってよい。本発明に係る各システムのための電極として作用する領域は、皮膚と接しなければならない。被験者は、この種の衣服を着用すると、電極を加湿する必要なく、１日または数日にわたる長期間、定期的な測定を受けることができる。保水が可能な材料が乾燥した場合、衣服は、受動的に、すなわち専門家によるデバイスへの任意の特定の作業がなくとも、ユーザによってそれらを単純に浸漬または洗浄することによってリチャージされ得る。長期間にわたって行われるこれらの測定は、たとえば、心房細動またはてんかんなどの疾患の診断を可能にし、または、長期間にわたり行われる監視（術後監視または高リスク妊娠をしている女性の監視）を特に効果的な方法で可能にする。
【図面の詳細な説明】
【０１０９】
図１は、本発明の１つの実施形態に係る加湿デバイス（１）の断面図である。吸水および保水が可能な材料（４）は、第１層（３）と第２層（５）との間に位置する。第１層（３）は、液体水および水蒸気を透過させず、これは、吸水および保水が可能な材料に含まれた水分のこの方向への蒸発が不可能であることを意味する。第２層（５）は、吸水および保水が可能な材料（４）から外方向へ伸びる方向に、液体水を透過させず水蒸気を透過させる。したがって、第２層（５）と接してこのデバイスの下に位置する電極は、水蒸気によってのみ加湿される。
【０１１０】
図２は、本発明の１つの実施形態に係る加湿デバイス（１）の断面図であり、吸水および保水が可能な材料は３つの部分（４）に分かれ、ポケット（６）内に保持される。
【０１１１】
図３は、本発明の１つの実施形態に係る加湿デバイス（１）の断面図であり、吸水および保水が可能な材料（４）はポケット（６）内に保持され、第３層（７）は第１層（３）とポケット（６）との間に位置する。第３層の容積の圧力下で、変形可能な第２層（５）は延伸し、それによって容積は、皮膚と接することが意図された部分に向かって拡大し、電極と被験者の皮膚との機械的接触を助ける。
【０１１２】
図４は、図３と同様の本発明の１つの実施形態に係る加湿デバイス（１）の断面図である。図３とは異なり、吸水および保水が可能な材料（４）はポケット内に位置せず、単一要素から成る。
【０１１３】
図５は、本発明の１つの実施形態に係る、加湿デバイス（１）およびテキスタイル電極を備えるシステム（２）の断面図である。テキスタイル支持体（８）の導電領域は、第２層（５）と接する。吸水および保水が可能な材料（４）が加湿されると、導電領域（８）は、第２層（５）を介して水蒸気によって継続的に加湿される。
【０１１４】
図６は、本発明の１つの実施形態に係る加湿デバイスおよび電極を備えるシステムの断面図である。この実施形態において、第２層（５）は、第１部分（導電領域（８）に連結された）および（導電領域に連結されない）第２部分から成る。上記第２部分は、電極を受動的にリチャージする時（たとえば洗浄中）、水が入ることが可能な孔（５１）を介して液体水を透過させる。好適には、孔は、吸水および保水が可能な材料（４）と接さず、導電領域（８）とも接さない。このように、吸水および保水が可能な材料は、上記孔（５１）を介して水分が失われることを防がれる。
【符号の説明】
【０１１５】
１．電極を加湿するためのデバイス
２．加湿デバイスを備えるシステム
３．第１層
４．吸水および保水が可能な材料
５．第２層
５１．孔
６．ポケット
７．第３層
８．テキスタイル支持体の導電領域
【図１】
2019527113.tif 000003
【図２】
2019527113.tif 000004
【図３】
2019527113.tif 000005
【図４】
2019527113.tif 000006
【図５】
2019527113.tif 000007
【図６】
2019527113.tif 000008
【国際調査報告】
2019527113.tif 000009
2019527113.tif 000010
2019527113.tif 000011
2019527113.tif 000012
2019527113.tif 000013
2019527113.tif 000014